(57)【要約】【課題】ドレンポンプ運転によって発生する騒音を目立たなくすることができ、ドレンを効率よく排水できる空気調和装置を提供する。【解決手段】送風機と、熱交換器と、この熱交換器で生成されたドレンを受けるドレンパンと、このドレンパンに溜まったドレンを排水するドレンポンプとを備えた空気調和装置において、ドレン発生量が多いと判断したときは、ドレンポンプを高出力運転し、ドレン発生量が少ないと判断したときは、ドレンポンプを低出力運転ように制御するマイクロコンピュータ５３を備えた。【選択図】　　　図５
2004093003.tif 000002
【特許請求の範囲】
【請求項１】
送風機と、熱交換器と、この熱交換器で生成されたドレンを受けるドレンパンと、このドレンパンに溜まったドレンを排水するドレンポンプと、このドレンポンプの運転を制御する制御手段とを備えた空気調和装置において、
前記制御手段は、空気調和装置の運転状況に応じて予め設定された前記ドレンポンプの出力で前記ドレンポンプを制御することを特徴とする空気調和装置。
【請求項２】
請求項１に記載の空気調和装置において、
前記制御手段は、少なくとも冷房運転時に、前記送風機の回転数が所定回転数を上回る運転状況のときは、前記ドレンポンプを高出力運転し、少なくとも冷房運転時に、前記送風機の回転数が所定回転数を下回る運転状況のときは、前記ドレンポンプを低出力運転ように制御することを特徴とする空気調和装置。
【請求項３】
請求項１に記載の空気調和装置において、
前記制御手段は、サーモオフ状態となる運転状況のときにおいても前記ドレンポンプを運転するようにしたことを特徴とする空気調和装置。
【請求項４】
請求項１に記載の空気調和装置において、
前記制御手段は、通常は前記ドレンポンプを低出力で運転し、フロートスイッチ異常のときは前記ドレンポンプを高出力で運転するようにしたことを特徴とする空気調和装置。
【請求項５】
請求項１に記載の空気調和装置において、
空気調和装置の運転状況と前記ドレンポンプの出力とを対応させた複数の制御モードを記憶する記憶手段を備え、
前記制御手段は、いずれかの制御モードで前記ドレンポンプの出力を制御することを特徴とする空気調和装置。
【請求項６】
請求項５に記載の空気調和装置において、
前記複数の制御モードには、少なくとも冷房運転時に、前記送風機の回転数が所定回転数を上回る運転状況のときは、前記ドレンポンプを高出力運転し、少なくとも冷房運転時に、前記送風機の回転数が所定回転数を下回る運転状況のときは、前記ドレンポンプを低出力運転する制御モードが含まれていることを特徴とする空気調和装置。
【請求項７】
請求項５に記載の空気調和装置において、
前記複数の制御モードには、サーモオフ状態となる運転状況のときにおいても前記ドレンポンプを運転する制御モードが含まれていることを特徴とする空気調和装置。
【請求項８】
請求項５に記載の空気調和装置において、
前記複数の制御モードには、通常は前記ドレンポンプを低出力で運転し、フロートスイッチ異常のときは前記ドレンポンプを高出力で運転する制御モードが含まれていることを特徴とする空気調和装置。
【発明の詳細な説明】
【０００１】
【発明の属する技術分野】
本発明は、空気調和装置に関し、特に空気調和装置に使用されるドレンポンプの制御に関する。
【０００２】
【従来の技術】
一般に、送風機と、熱交換器と、この熱交換器の下部に設置して熱交換器で生成されたドレンを受ける発泡スチロール製のドレンパンと、このドレンパンに溜まったドレンを排水するドレンポンプと、このドレンポンプのモータの運転を制御する制御装置とを備えた空気調和装置として、例えば、天井埋込型空気調和装置が知られている。
【０００３】
この空気調和装置の冷房運転時或いはドライ運転時に熱交換器で生成されたドレンは、ドレンパンに溜められ、この溜まったドレンをドレンポンプによってドレンホースを介して機外に排水している。ドレンポンプのモータは、ＡＣモータであり、ドレンポンプは一定の出力（例えば、定格である２００Ｖの交流電圧の印加）で運転している。
【０００４】
このドレンポンプの出力は、ドレンが最も多く生じる条件で空気調和装置を運転した場合、このドレンを排水できるように、大きめに設定されている。つまり、ドレンポンプの出力は、ドレンポンプの予想される負荷（例えば、排水量や揚程）が最大のときを基準に設定されている。
【０００５】
空気調和装置の空調運転時、送風機の送風量（回転数）は、例えば、３段階（急風、強風、弱風）に空調負荷に応じて切り換るように構成されている。そして、冷房運転時、室内温度がリモコン等で設定される設定温度を下回った場合は、圧縮機を停止するサーモオフ状態となるように制御される。このサーモオフ状態のとき、ドレンポンプの発生する水かき音や振動音等の騒音を防止すべく、ドレンポンプを停止するようにしている。
【０００６】
【発明が解決しようとする課題】
しかしながら、上述の空気調和装置のように、ドレンを排水できるようにドレンポンプの出力を大きめに設定したときに、ドレンポンプにかかる予想される負荷よりも実際の負荷が小さい場合、ドレンポンプの出力が大きすぎるため、ドレンポンプの発生する水かき音や振動音等の騒音が目立つという問題がある。
【０００７】
また、ドレンポンプの出力を一定とした場合、送風機の送風量（回転数）が大きくなればなるほど（例えば、強風以上であれば）、ドレンポンプの発生する水かき音や振動音等の騒音は、送風機の送風音にかき消されて目立たなくなっているが、送風機の送風量（回転数）が小さくなればなるほど（例えば、弱風以下であれば）、ドレンポンプの発生する振動音や水かき音等の騒音が目立つという問題がある。
【０００８】
また、サーモオフ時にドレンポンプを停止すると、ドレンパンにドレンが残留する場合が生じ、ノロが発生し易くなる。このノロがドレンポンプの排水口に詰まると、ドレンパンからドレンを排出できなくなるおそれがあるという問題がある。
【０００９】
本発明の目的は、上述の事情を考慮してなされたものであり、ドレンポンプ運転によって発生する騒音を目立たなくすることができ、ドレンを効率よく排水できる空気調和装置を提供することにある。
【００１０】
【課題を解決するための手段】
上記課題を解決するため、送風機と、熱交換器と、この熱交換器で生成されたドレンを受けるドレンパンと、このドレンパンに溜まったドレンを排水するドレンポンプと、このドレンポンプの運転を制御する制御手段とを備えた空気調和装置において、前記制御手段は、空気調和装置の運転状況に応じて予め設定された前記ドレンポンプの出力で前記ドレンポンプを制御することを特徴とするものである。
【００１１】
この場合において、前記制御手段は、少なくとも冷房運転時に、前記送風機の回転数が所定回転数を上回る運転状況のときは、前記ドレンポンプを高出力運転し、少なくとも冷房運転時に、前記送風機の回転数が所定回転数を下回る運転状況のときは、前記ドレンポンプを低出力運転ように制御するようにしてもよい。
【００１２】
また、前記制御手段は、サーモオフ状態となる運転状況のときにおいても前記ドレンポンプを運転するようにしてもよい。
【００１３】
さらに、前記制御手段は、通常は前記ドレンポンプを低出力で運転し、フロートスイッチ異常のときは前記ドレンポンプを高出力で運転するようにしてもよい。
【００１４】
さらにまた、空気調和装置の運転状況と前記ドレンポンプの出力とを対応させた複数の制御モードを記憶する記憶手段を備え、前記制御手段は、いずれかの制御モードで前記ドレンポンプの出力を制御するようにしてもよい。
【００１５】
また、前記複数の制御モードには、少なくとも冷房運転時に、前記送風機の回転数が所定回転数を上回る運転状況のときは、前記ドレンポンプを高出力運転し、少なくとも冷房運転時に、前記送風機の回転数が所定回転数を下回る運転状況のときは、前記ドレンポンプを低出力運転する制御モードが含まれるようにしてもよい。
【００１６】
さらに、前記複数の制御モードには、サーモオフ状態となる運転状況のときにおいても前記ドレンポンプを運転する制御モードが含まれるようにしてもよい。
【００１７】
さらにまた、前記複数の制御モードには、通常は前記ドレンポンプを低出力で運転し、フロートスイッチ異常のときは前記ドレンポンプを高出力で運転する制御モードが含まれるようにしてもよい。
【００１８】
【発明の実施の形態】
以下、本発明の一実施の形態を添付の図面を参照しながら説明する。
【００１９】
図１は、本発明に係る空気調和装置の一実施の形態を示す冷媒回路図である。
【００２０】
気調和装置１０は室外機１１及び室内機１２を有しており、室外機１１の室外冷媒配管１３と室内機１２の室内冷媒配管１４とが、連結配管１５及び１６を介して連結されている。
【００２１】
上記室外機１２は室外に配置される。室外冷媒配管１３には、圧縮機１７が配設されるとともに、この圧縮機１７の吸込側にアキュムレータ１８が配設され、圧縮機１７の吐出側に四方弁１９が配設され、この四方弁１９側に室外熱交換器２０が順次配設されて構成される。室外熱交換器２０には、この室外熱交換器２０へ向かって送風する室外送風機２１が隣接して配置されている。
【００２２】
室内機１２はそれぞれ室内に設置され、室内冷媒配管１４に室外熱交換器２０側から、電動膨張弁２２及び室内熱交換器２３（以下、「熱交換器」という。）が配設される。この熱交換器２３には、熱交換器２３から室内へ送風する室内送風機２４（以下、「送風機」という。）が隣接して配置されている。
【００２３】
上記の四方弁１９は冷房またはドライ運転時に実線で示すように切り替えられて、熱交換器２３が蒸発器として機能し、暖房運転時または加湿運転時に点線で示すように切り替えられて、熱交換器２３が凝縮器として機能する。
【００２４】
図２は、空気調和装置としての天井埋込型空気調和装置の室内機１２を示している。この天井埋込型空気調和装置の室内機１２は、板金製の室内機本体３１を有し、この室内機本体３１は、吊りボルト３２で天井からつり下げられている。
【００２５】
この室内機本体３１は、図３に示すように、略四角形の箱形に形成されている。図３中では、室内機本体３１の上方が開口しているが、天井に埋め込まれた場合、この開口側が被調和室に対向する。
【００２６】
この室内機本体３１の内側には、発泡スチロール製の断熱体３３が、室内機本体３１の側板３１Ａの内面に略接した状態で配置されている。この断熱体３３の高さＨ１は、室内機本体３１の高さＨ２から、後述するドレンパン３４の高さＨ３を減じた程度の高さに設定されている。
【００２７】
室内機本体３１の天板３１Ｂには、モータ２４Ａが固定され、このモータ２４Ａのシャフトには羽根車２４Ｂが取り付けられている。これらが送風機２４を構成している。この送風機２４を取り囲むように、多角形（例えば、略四角形状）に曲げられた熱交換器２３が、上記発泡スチロール製の断熱体３３の内側に配置されている。
【００２８】
この熱交換器２３の下面２３Ａを覆うように、発泡スチロール製のドレンパン３４が配置され、このドレンパン３４は、その外周３４Ａが室内機本体３１の側板３１Ａの内面に略接した状態で配置されている。
【００２９】
このドレンパン３４には、補強部材３５、送風機２４のベルマウス３６、電装ボックス３７等の各種部品がねじ止めされている。
【００３０】
そして、室内機本体３１の下面には、図２に示すように、化粧パネル４１が取り付けられ、この化粧パネル４１には吸込口４２と吹出口４３が形成され、吸込口４２にはフィルタ４５が装着されている。
【００３１】
図４は、ドレンパン３４の上面３４Ｂを示す。
【００３２】
ドレンパン３４の上面３４Ｂに周方向に延びる凹状の溝部（ドレン溜まりの一部）１００が形成されている。
【００３３】
この凹状の溝部１００は、図２からも明らかなように、多角形（例えば、略四角形状）に曲げられた熱交換器２３の下面２３Ａを収容し、ここに熱交換器２３からのドレンが収集される。この凹状の溝部１００は、周方向に連続して延びており、その一部に、ドレン溜まり１０１が形成されている。
【００３４】
このドレン溜まり１０１は、他の溝部１００よりも深さが深く形成され、すべてのドレンが、この最も深くなったドレン溜まり１０１に回収される。このドレン溜まり１０１には、ドレンポンプ１０２（図２）の吸込口１０２Ａが臨み、このドレンポンプ１０２を通じて、ドレン溜まり１０１に回収されたドレンが、室内機本体１の外側に排出される。
【００３５】
尚、熱交換器２３には、加湿エレメント（不図示）が隣接して配置され、空気調和装置１０を加湿運転するときは、熱交換器２３を凝縮器として機能させたときの熱を利用して加湿エレメントの水を蒸発させ、室内に加湿するものである。このとき、熱交換器２３に付着したドレンは、ドレンパン３４にて収集される。
【００３６】
ドレンポンプ１０２のモータ１０２Ｂには、図５に示すように、ドレンポンプ１０２、即ち、ドレンポンプ１０２のモータ１０２Ｂを運転する制御装置５１がつながれている。
【００３７】
ドレンポンプ１０２のモータ１０２Ｂは、モータ１０２Ｂを駆動する駆動部５２を介してマイクロコンピュータ５３（以下、「マイコン」という。）に接続されている。マイコン５３には、書き換え可能な不揮発性メモリ５４（例えば、ＥＥＰＲＯＭ）及びリモートコントローラ５５（以下、「リモコン」という。）が接続されている。駆動部５２、マイコン５３及びＥＥＰＲＯＭ５４は、基板３７Ａ（図３）に実装され、電装ボックス１９（図３）に収納されている。
【００３８】
このマイコン５３には、図５に示すように、ドレンパン３４（図３）に設けたフロートスイッチ５６が接続されており、ドレンパン３４に溜まったドレン量（水位）が水位異常を示す所定量以上になると、フロートスイッチ５６がオン状態となり、オン状態となったことを示す信号がマイコン５３に送信される。この信号を受信したマイコン５３は、水位異常として判断する。
【００３９】
また図５に示すように、マイコン５３には、室内機１２の吸込口４２付近に設置した温度センサ５７が接続されており、この温度センサ５７によって、吸い込み空気の温度が検出される。
【００４０】
このマイコン５３は、図示しない記録媒体（例えばＲＯＭ等）に予め記憶されている制御プログラムに基づいて、空気調和装置全体の制御を行うものである。特に、マイコン５３は、ＲＯＭ等に予め記憶されている制御プログラムに基づいて、空気調和装置１０の運転状況に応じて予め設定されたドレンポンプ１０２の出力でドレンポンプ１０２を制御するものである。また、マイコン５３は、室内機１２の吸込口４２の吸い込み空気温度（以下、「室内温度」という。）と、リモコン５５により設定された室内設定温度との偏差が０に近づくように、室内機１２の圧縮機１７等を制御する。そして、マイコン５３は、この偏差が所定値を下回れば、圧縮機１７を停止するサーモオフ状態にし、偏差が所定値を上回れば、圧縮機１７を運転するサーモオン状態にする。
【００４１】
このマイコン５３は、空調負荷に応じて、室内機１２の送風機２４を複数の回転数（つまり、複数の送風量）に段階的に制御する。ここで、送風機２４の回転数が高いほど、送風量は多くなり、送風機２４の回転数が低いほど、送風量は少なくなる。従って、マイコン５３は、空調負荷に応じて、例えば、サーモオン状態のときに、送風機２４の回転数が高い順に（送風量が多い順に）、急風（ＨＨ風）、強風（Ｈ風）、弱風（Ｌ風）の三段階に設定し、サーモオフ状態のときに、送風機２４を弱風（Ｌ風）よりも回転数の低い（送風量の少ない）微弱風（ＬＬ風）に設定する。
【００４２】
尚、ドライ運転時は、サーモオン状態であれば、送風機２４をＬ風に設定する。
【００４３】
室内温度と室内設定温度との偏差が所定値を下回った場合、マイコン５３は、サーモオフ状態する制御を行い、送風機２４をＬＬ風に設定する。
【００４４】
本実施の形態において、ドレンポンプ１０２のモータ１０２Ｂは、直流モータ（ＤＣモータ）であり、モータ１０２Ｂに印加する直流電圧を可変することで、モータ１０２Ｂの出力（即ち、回転数）を可変できるものである。例えば、モータ１０２Ｂに印加する直流電圧を上げることで、モータ１０２Ｂの出力を上げることができ、モータ１０２Ｂに印加する直流電圧を下げることで、モータ１０２Ｂの出力を下げることができる。
【００４５】
駆動部５２は、マイコン５３の制御の下、モータ１０２Ｂに印加する直流電圧を可変する。
【００４６】
マイコン５３は、ドレンポンプ１０２の出力を複数段階に可変する制御を行う。例えば、マイコン５３は、ドレンポンプ１０２のモータ１０２Ｂに印加する直流電圧をＨｉｇｈレベル（以下、「Ｈレベル」という。）とＬｏｗレベル（以下、「Ｌレベル」という。）と０レベルとに可変する制御を行う。Ｈレベルは、例えば１２［Ｖ］、Ｌレベルは、例えば１０［Ｖ］、０レベルは、例えば、０「Ｖ］である。
【００４７】
このＨレベルの電圧は、例えば、モータ１０２Ｂに印加する定格電圧であり、Ｌレベルの電圧は、例えば、定格電圧よりも低い電圧である。
【００４８】
また、ドレンポンプ１０２において、ドレンポンプ１０２のモータ１０２Ｂに印加する直流電圧がＨレベルのときを高出力運転といい、ドレンポンプ１０２のモータ１０２Ｂに印加する直流電圧がＬレベルのときを低出力運転というものとする。
【００４９】
つまり、高出力運転とは、例えば、モータ１０２Ｂに定格電圧を印加した場合の定格出力運転を示し、低出力運転とは、例えば、この定格出力運転よりも低い出力の運転を示す。
【００５０】
ＥＥＰＲＯＭ５４には、空気調和装置の運転状況と、ドレンポンプ１０２のモータ１０２Ｂに印加する直流電圧（つまり、ドレンポンプ１０２の出力）とを対応させた複数（例えば、７つ）の制御モードが、テーブル５４Ａとして記憶されている。例えば、ＥＥＰＲＯＭ５４には、図６に示すテーブル５４Ａが記憶されている。このように、複数の制御モードを定めたテーブル５４Ａを備えたことから、ドレンの発生状況に適した制御モードに切り換えることによって、ドレンポンプ１０２の騒音を抑制し、また、ドレンを効率よく排水できるものである。
【００５１】
７つの制御モードには、０〜６の番号が割り振られている。また、空気調和装置の運転状況としては、例えば、図６に示すように、複数（例えばａ〜ｈの８通り）の運転状況が決められている。
【００５２】
運転状況ａは、冷房運転で送風機２４の送風量をＨＨ風で運転したときのサーモオン時の運転状況である。運転状況ｂは、冷房運転で送風機２４の送風量をＨ風で運転したときのサーモオン時の運転状況である。運転状況ｃは、冷房運転或いはドライ運転で送風機２４の送風量をＬ風で運転したときのサーモオン時の運転状況である。運転状況ｄは、冷房運転或いはドライ運転で運転したときのサーモオフ時の運転状況である。運転状況ｅは、空気調和装置の運転停止時（空気調和装置の異常による強制停止を含む）や、空気調和装置の異常により警報を出力する制御を行うときの運転状況である。運転状況ｆは、暖房運転の運転状況である。運転状況ｇは、加湿運転の運転状況である。運転状況ｈは、ドレンパン３４の水位が異常に上昇した場合、即ち、フロートスイッチ５６がオン状態の場合、フロートスイッチ５６異常と判断し、強制的にドレンポンプ１０２を運転（例えば、ドレンポンプ１０２を高出力運転）する運転状況である。
【００５３】
通常のドライ運転時は、運転状況ｃ又はｄとなるように制御される。
【００５４】
リモコン５５には、図示を省略した室内設定温度を設定するスイッチや、複数の制御モードのうち、いずれかひとつの制御モードを選択するスイッチ（制御モード選択手段）が設けられている。このリモコン５５の制御モードを選択するスイッチによって、簡単に制御モードを選択することができる。
【００５５】
マイコン５３は、リモコン５５にて制御モードの番号が選択された場合、ＥＥＰＲＯＭ５４のテーブル５４Ａを参照し、制御モードの番号に対応する制御モードの設定でドレンポンプ１０２の制御を行う。尚、初期設定（例えば、出荷時の設定）では、番号「０」の制御モードを参照するように設定されている。
【００５６】
ここで、ドレン発生量は、熱交換器２３の能力（馬力）に依存するものであり、熱交換器２３の能力が大きければ大きいほど、運転時（特に、冷房運転時或いはドライ運転時）にドレン発生量は多くなる。このように、ドレン発生量が多いほどドレンポンプ１０２にかかる負荷は大きくなるため、番号「０」の制御モードは、ドレン発生量が多い場合を基準にし、ドレンポンプ１０２のモータ１０２Ｂに印加する直流電圧をＨレベルにしてドレンポンプ１０２を高出力運転するものである。
【００５７】
尚、熱交換器２３自体が大きいほど、熱交換器２３の能力は大きく、熱交換器２３自体が小さいほど、熱交換器２３の能力は小さい。
【００５８】
本実施の形態では、例えば、冷房運転時にＨＨ風（或いはＨ風）の場合、ドレンポンプ１０２を高出力運転しなければ（つまり、ドレンポンプ１０２のモータ１０２Ｂに印加する直流電圧をＨレベルにしなければ）、ドレンパン３４のドレンを排出しきれないような熱交換器２３の能力（馬力）を、高馬力といい、また、例えば、冷房運転時にＨＨ風（或いはＨ風）の場合、ドレンポンプ１０２を低出力運転しても（つまり、ドレンポンプ１０２のモータ１０２Ｂに印加する直流電圧をＬレベルにしても）、ドレンパン３４のドレンの排出が間に合うような熱交換器２３の能力（馬力）を、低馬力というものとする。例えば、４馬力以上の馬力を高馬力、４馬力よりも低い馬力（例えば、３馬力）を低馬力という。
【００５９】
図６における番号「０」の制御モードでは、高馬力対応でサーモオフ時にドレンポンプ１０２を停止する制御を行うものであり、初期設定では、この番号「０」の制御モードを参照するように設定されている。
【００６０】
尚、従来は、ドレンポンプのモータとして、交流モータ（ＡＣモータ）を用いており、サーモオン状態では定格である２００Ｖの交流電圧をモータに印加して一定の定格出力で運転し、サーモオフ状態ではモータを停止する制御を行っていた。本実施の形態では、番号「０」の制御モードにおける運転状況ａ〜ｄのモータ１０２Ｂの制御が、従来のモータの制御に対応している。
【００６１】
番号「０」の制御モードのとき、マイコン５３は、冷房運転時（又はドライ運転時）にサーモオン状態となる運転状況のときはドレンポンプ１０２を高出力運転する制御を行い、冷房運転時（又はドライ運転時）にサーモオフ状態となる運転状況のときはドレンポンプ１０２を停止する（即ち、ドレンポンプ１０２のモータ１０２Ｂに印加する直流電圧を０レベルに設定する）制御を行う。つまり、この直流電圧が０レベルのときは、ドレンポンプ１０２は停止される。
【００６２】
尚、いずれの制御モードにおいても、運転状況ｅのとき、マイコン５３は、ドレンポンプ１０２を停止する制御を行う。
【００６３】
また、いずれの制御モードにおいても、暖房運転時にドレンは発生しないので、運転状況ｆのとき、マイコン５３は、ドレンポンプ１０２を停止する制御を行う。
【００６４】
また、いずれの制御モードにおいても、加湿運転時は、ドレンパン３４にドレンが溜まるおそれがあるため、運転状況ｇのとき、マイコン５３は、ドレンポンプ１０２を運転する制御を行う。これによって、加湿運転時に発生するドレンを排出することができる。
【００６５】
また、いずれの制御モードにおいても、フロートスイッチ異常（水位異常）のときは、ドレンパン３４にドレンが溢れ出すおそれがあるため、運転状況ｈのとき、マイコン５３は、ドレンポンプ１０２を運転（例えば、高出力運転）する制御を行う。これによって、ドレンパン３４からドレンが溢れ出すのを防止することができる。
【００６６】
本実施の形態で、番号「１」の制御モードは、高馬力対応でサーモオフ時にドレンポンプ１０２を高出力運転する制御を行うときの制御モードである。
【００６７】
この番号「１」の制御モードがリモコン５５にて選択されると、マイコン５３は、運転状況ａ〜ｄ及びｇのとき、ドレンポンプ１０２を高出力運転するように制御する。
【００６８】
番号「２」の制御モードは、少なくとも冷房運転時に送風機２４の回転数（送風量）が所定回転数（所定送風量）を上回れば（例えば、Ｈ風以上であれば）、ドレンポンプ１０２を高出力運転し、少なくとも冷房運転時に送風機の回転数（送風量）が所定回転数（送風量）を下回れば（例えば、Ｌ風以下であれば）、ドレンポンプ１０２を低出力運転する制御モードである。
【００６９】
つまり、番号「２」の制御モードは、高馬力対応で低風量（Ｌ風）時にドレンポンプ１０２を低出力運転し、サーモオフ時にドレンポンプ１０２を停止する制御を行うときの制御モードである。具体的に、番号「２」の制御モードは、運転状況ａ、ｂのとき、ドレンポンプ１０２を高出力運転し、運転状況ｃのとき、ドレンポンプ１０２を低出力運転するようにした制御モードである。
【００７０】
この番号「２」の制御モードがリモコン５５にて選択されると、マイコン５３は、冷房運転時に送風機２４の回転数（送風量）がＨ風以上であれば、ドレンポンプ１０２を高出力運転するように制御し、また、冷房運転時に送風機２４の回転数（送風量）がＬ風以下、或いはドライ運転時であればドレンポンプ１０２を低出力運転するように制御する。また、サーモオフ時は、ドレンポンプ１０２を停止するように制御する。
【００７１】
番号「３」の制御モードは、高馬力対応で低風量（Ｌ風）時にドレンポンプ１０２を低出力運転し、更に、サーモオフ時にドレンポンプ１０２を低出力運転する制御を行うときの制御モードである。つまり、番号「３」の制御モードは、番号「２」の制御モードに対して、サーモオフ状態であってもドレンポンプ１０２を低出力運転する制御を行うときの制御モードである。
【００７２】
番号「４」の制御モードは、低馬力対応で低風量（Ｌ風）時にドレンポンプ１０２を低出力運転し、サーモオフ時にドレンポンプ１０２を停止する制御を行うときの制御モードである。つまり、番号「４」の制御モードは、熱交換器２３が低馬力のときであり、運転状況ａ、ｂ、ｃ及びｇのとき、ドレン発生量が少ないので、通常はドレンポンプ１０２を低出力で運転する制御モードである。
【００７３】
番号「５」の制御モードは、低馬力対応で低風量（Ｌ風）時にドレンポンプ１０２を低出力運転し、サーモオフ時にドレンポンプ１０２を低出力運転する制御を行うときの制御モードである。つまり、番号「５」の制御モードは、番号「４」の制御モードに対して、サーモオフ状態であってもドレンポンプ１０２を低出力運転する制御を行うときの制御モードである。
【００７４】
番号「６」の制御モードは、高馬力対応でサーモオフ時にドレンポンプ１０２を低出力運転する制御を行うときの制御モードである。つまり、番号「６」の制御モードは、番号「０」の制御モードに対して、サーモオフ状態であってもドレンポンプ１０２を低出力運転する制御を行うときの制御モードである。
【００７５】
以上の構成で、初期設定である番号「０」の制御モードに基づいて制御する場合において、ドレンポンプ１０２を過剰な能力で運転している場合がある。つまり、熱交換器１１が低馬力でドレン発生量が少ないときにドレンポンプ１０２を高出力運転（定格出力運転）している場合がある。このように、ドレンポンプ１０２を過剰な能力で運転した場合、運転状況ａ（又は運転状況ｂ）であっても、つまり、送風機２４をＨＨ風（又はＨ風）で運転しても、ドレンポンプ１０２から発生する騒音（例えば、水かき音や振動音）が、送風機２４の送風音にかき消されずに目立つことがある。このような場合、リモコン５５にて、例えば、番号「４」又は「５」の制御モード、即ち、低馬力対応の制御モードを選択することによって、マイコン５３は、ＥＥＰＲＯＭ５４のテーブル５４Ａにおける番号「４」又は「５」の制御モードを参照してドレンポンプの制御を行うことから、運転状況ａ（又は運転状況ｂ）でもドレンポンプ１０２は低出力で運転されるため、ドレンポンプ１０２から発生する騒音（例えば、水かき音や振動音）が抑制される。
【００７６】
また、初期設定である番号「０」の制御モードに基づいて制御する場合において、運転状況ｃ、つまり、冷房運転時（或いはドライ運転時）に送風機２４をＬ風で運転するサーモオン状態の運転状況とき、送風機２４の送風量（回転数）が低いため、ドレンポンプ１０２から発生する騒音が目立つことがある。このような場合、リモコン５５にて、例えば、番号「２」又は「３」の制御モード、即ち、送風機２４が低回転数（Ｌ風）時の運転状況ｃのときにドレンポンプ１０２を低出力運転する制御を行う制御モードを選択することによって、マイコン５３は、ＥＥＰＲＯＭ５４のテーブル５４Ａにおける番号「２」又は「３」の制御モードを参照してドレンポンプ１０２の制御を行うことから、ドレンポンプ１０２は、運転状況ｃの場合、つまり、送風機２４をＬ風で運転した場合に低出力で運転されるため、ドレンポンプ１０２から発生する騒音（例えば、水かき音や振動音）が抑制される。
【００７７】
また、初期設定である番号「０」の制御モードに基づいて制御する場合において、サーモオフ時にドレンポンプ１０２を停止するように制御するので、ドレンパン３４に水が溜まり、ノロが発生し易くなることがある。このような場合、リモコン５５にて番号「１」、「３」、「５」又は「６」の制御モードを選択することによって、マイコン５３は、ＥＥＰＲＯＭ５４のテーブル５４Ａにおける番号「１」、「３」、「５」又は「６」の制御モードを参照してドレンポンプ１０２の制御を行うことから、ドレンポンプ１０２は、サーモオフ時に運転されるので、ドレンパン３４のドレンが撹拌されてノロが発生しにくくなり、ドレンポンプ１０２の排水経路にノロが詰まることを防止することができる。
【００７８】
特に、リモコン５５にて番号「３」、「５」又は「６」の制御モードを選択することによって、マイコン５３は、ＥＥＰＲＯＭ５４のテーブル５４Ａにおける番号「３」、「５」又は「６」の制御モードを参照してドレンポンプ１０２の制御を行うことから、ドレンポンプ１０２は、サーモオフ時に低出力で運転されるので、ドレンポンプ１０２から発生する騒音を抑制することができる。
【００７９】
ＥＥＰＲＯＭ５４のテーブル５４Ａのデータを書き換えるときは、リモコン５５の図示を省略した書き換えスイッチ（書換手段）を操作することにより書き換えるものとする。
【００８０】
ＥＥＰＲＯＭ５４は、書換可能な不揮発性メモリであるので、テーブル５４Ａは書換可能である。つまり、各制御モードの運転状況に対応するドレンポンプ１０２の出力（即ち、ドレンポンプ１０２のモータ１０２Ｂに印加する直流電圧）のデータを書き換えることが可能である。例えば、テーブル５４Ａにおける番号「３」の制御モードの運転状況ｂに対応するドレンポンプ１０２の出力データを、ＨレベルからＬレベルに書き換えることが可能である。そして、マイコン５３は、書き換えられたＥＥＰＲＯＭ５４のテーブル５４Ａの制御モードを参照してモータ１０２Ｂの制御を行う。
【００８１】
以上、本実施の形態によれば、番号「３」、「５」又は「６」の制御モードが選択されたとき、マイコン５３は、少なくとも冷房運転時（或いはドライ運転時）にサーモオフ状態となる運転状況であれば、ドレンポンプ１０２を低出力運転するようにしたことから、ドレンパン３４のドレンが撹拌されてノロが発生しにくくなり、ドレンポンプ１０２の排水経路にノロが詰まることを防止することができるので、ドレンを効率よく排水することができるとともに、ドレンポンプ１０２を低出力運転するのでドレンポンプ１０２の発生する騒音を抑制することができる。
【００８２】
また、本実施の形態によれば、ＥＥＰＲＯＭ５４に記憶されている複数の制御モードには、熱交換器２３が低馬力のときはドレンポンプ１０２を低出力運転する制御モード（例えば、番号「４」、「５」の制御モード）と、熱交換器２３が高馬力のときはドレンポンプ１０２を高出力運転する制御モード（例えば、番号「１」、「２」、「３」、「６」の制御モード）とが含まれていることから、熱交換器２３の能力に適した制御モードを選択すれば、ドレンポンプ１０２の発生する水かき音や振動音等の騒音を目立たなくすることができ、ドレンを効率よく排水できる。
【００８３】
また、本実施の形態によれば、複数の制御モードのうち、いずれかの制御モードを選択する制御モード選択手段としてのリモコン５５を備えたことから、制御モードを簡単に切り換えることができる。
【００８４】
また、本実施の形態によれば、ドレンポンプ１０２のモータ１０２ＢとしてＤＣモータを使用したので、モータ１０２Ｂに印加する直流電圧を可変するだけでドレンポンプ１０２の出力を制御することができるので、制御性が向上する。
【００８５】
また、本実施の形態によれば、制御モードが書換可能な不揮発性メモリであるＥＥＰＲＯＭ５４に記憶されており、ＥＥＰＲＯＭ５４に記憶された各制御モードの運転状況に対応するドレンポンプ１０２の出力を書き換えるリモコン５５を備えているので、書換作業が簡単であり、室内機３２の設置場所に適したドレンポンプ１０２の制御が可能になる。
【００８６】
尚、本実施の形態では、室内温度と室内設定温度との偏差に応じて送風機の送風量（回転数）を制御する場合について説明したが、これに限るものではなく、例えば、リモコンには送風機の送風量（回転数）を選択するスイッチが設けられており、このリモコンにて送風機の送風量（回転数）が選択されるような場合であっても適用することができる。
【００８７】
また、本実施の形態では、マイコンは、複数の制御モードのうち、選択された制御モードでドレンポンプを制御する場合について説明したが、これに限るものではなく、マイコンは、いずれかの制御モードのみで、例えば、図６中番号「２」の制御モードに相当する制御モードのみでドレンポンプを制御する場合であってもよい。この場合、複数の制御モードを定めているテーブル、及び複数の制御モードのうち、いずれかひとつの制御モードを選択するリモコンのスイッチは省略できる。
【００８８】
また、本実施の形態では、複数の制御モードとして７つの制御モードをテーブルとして記憶手段であるＥＥＰＲＯＭに記憶する場合について説明したが、これら７つの制御モード全てをテーブルとして記憶している場合に限定するものではなく、テーブルにおける制御モードの数は任意に設定することができる。
【００８９】
また、本実施の形態では、書換可能な不揮発性メモリであるＥＥＰＲＯＭに複数の制御モードを定めたテーブルを記憶する場合について説明したが、これに限るものではなく、例えば、ＥＥＰＲＯＭの代わりにフラッシュメモリ等にテーブルを記憶する場合であってもよい。また、ＲＯＭにテーブルを記憶する場合であってもよい。このＲＯＭにテーブルを記憶する場合、テーブルを書き換える手段は省略できる。
【００９０】
以上、本発明を上記実施の形態に基づいて説明したが、本発明はこれに限定されるものではない。
【００９１】
【発明の効果】
本発明によれば、ドレンポンプ運転によって発生する騒音を目立たなくすることができ、ドレンを効率よく排水できる。
【図面の簡単な説明】
【図１】本発明の一実施の形態における空気調和装置を示す冷媒回路図である。
【図２】本発明の一実施の形態における空気調和装置の室内機を示す断面図である。
【図３】空気調和装置の分解斜視図である。
【図４】ドレンパンの上面図である。
【図５】ドレンポンプのモータを制御する制御装置のブロック図である。
【図６】複数の制御モードを定めたテーブルである。
【符号の説明】
１０　空気調和装置
１１　室内機
２３　熱交換器
２４　送風機
３４　ドレンパン
５３　マイクロコンピュータ
５４　ＥＥＰＲＯＭ
５４Ａ　テーブル
１０２　ドレンポンプ
【図１】
2004093003.tif 000003
【図２】
2004093003.tif 000004
【図３】
2004093003.tif 000005
【図４】
2004093003.tif 000006
【図５】
2004093003.tif 000007
【図６】
2004093003.tif 000008